(57)【要約】【課題】粘着力を強くすることなく、密封を容易に保つことができるテープ付き袋を提供する。【解決手段】樹脂シート１２は、（ａ）テープ付き袋１０の外面１０ｐ，１０ｑを形成する矩形の第１及び第２の主要部１２ａ，１２ｂと、（ｂ）第１の主要部１２ａの上辺１２ｓに接続され、第１の主要部１２ａの第２の主要部１２ｂ側に沿って延在する第１の内折部１２ｐと、（ｃ）第２の主要部１２ｂの上辺１２ｔに接続され、第２の主要部１２ｂの第１の主要部１２ａ側に沿って延在する第２の内折部１２ｑと、（ｄ）第２の内折部１２ｑの下辺１２ｋに接続され、第２の内折部１２ｑの第２の主要部１２ｂとは反対側に沿って延在し、第１の内折部１２ｐに対向する第３の内折部１２ｒとを含む。第１の内折部１２ｐと第３の内折部１２ｒの主面の一方に粘着層１４が形成され、粘着層１４は離型テープ１６で覆われている。【選択図】図２
2015009875.tif 000002
【特許請求の範囲】
【請求項１】
４辺を有する形状であり、前記４辺のうち３辺に沿って互いに接続された第１及び第２の主要部と、
前記第１の主要部の前記４辺のうち他の１辺に接続され、前記第１の主要部の前記第２の主要部側に沿って延在し、前記３辺のうち互いに対向する一対の辺の間において連続し、前記３辺のうち互いに対向する前記一対に辺に沿って前記第１の主要部と接続されている第１の内折部と、
前記第１の主要部の前記４辺のうち他の１辺に接続され、前記第２の主要部の前記第１の主要部側に沿って延在し、前記３辺のうち互いに対向する前記一対の辺の間において連続し、前記３辺のうち互いに対向する前記一対に辺に沿って前記第２の主要部と接続されている第２の内折部と、
前記第２の主要部の前記他の１辺に対向する前記第２の内折部の辺に接続され、前記第２の内折部の前記第２の主要部とは反対側に沿って延在し、前記第１の内折部に対向し、前記３辺のうち互いに対向する前記一対の辺の間において連続し、前記３辺のうち互いに対向する前記一対に辺に沿って前記第１及び第２の内折部と接続されている第３の内折部と、
を含む樹脂シートと、
前記樹脂シートの前記第１及び第３の内折部の互いに対向する主面の一方に形成され、前記３辺のうち互いに対向する前記一対の辺の間において連続する粘着層と、
前記粘着層を剥離可能に覆い、前記樹脂シートの前記第１及び第３の内折部の互いに対向する前記主面の他方に対向する離型テープと、
を備え、
前記第１の内折部と前記第３の内折部の間が、前記離型テープを剥がして前記粘着層を前記樹脂シートの前記第１及び第３の内折部の互いに対向する前記主面の前記他方に貼り付けることよって密封可能であることを特徴とするテープ付き袋。
【請求項２】
４辺を有する形状であり、前記４辺のうち３辺に沿って互いに接続された第１及び第２の主要部と、
前記第１の主要部の前記４辺のうち他の１辺に接続され、前記第１の主要部の前記第２の主要部側に沿って延在し、前記３辺のうち互いに対向する一対の辺の間において連続し、前記３辺のうち互いに対向する前記一対に辺に沿って前記第１の主要部と接続されている第１の内折部と、
前記第１の主要部の前記４辺のうち他の１辺に接続され、前記第２の主要部の前記第１の主要部側に沿って延在し、前記３辺のうち互いに対向する前記一対の辺の間において連続し、前記３辺のうち互いに対向する前記一対に辺に沿って前記第２の主要部と接続されている第２の内折部と、
を含む樹脂シートと、
前記樹脂シートの前記第１及び第２の内折部の互いに対向する主面の一方に形成され、前記３辺のうち互いに対向する前記一対の辺の間において連続する粘着層と、
前記粘着層を剥離可能に覆い、前記樹脂シートの前記第１及び第２の内折部の互いに対向する前記主面の他方に対向する離型テープと、
を備え、
前記第１の内折部と前記第２の内折部の間が、前記離型テープを剥がして前記粘着層を前記樹脂シートの前記第１及び第２の内折部の互いに対向する前記主面の前記他方に貼り付けることよって密封可能であることを特徴とするテープ付き袋。
【請求項３】
４辺を有する形状であり、前記４辺のうち３辺に沿って互いに接続された第１及び第２の主要部と、
前記第１の主要部の前記４辺のうち他の１辺に接続され、前記第１の主要部の前記第２の主要部側に沿って延在し、前記３辺のうち互いに対向する一対の辺の間において連続し、前記３辺のうち互いに対向する前記一対に辺に沿って前記第１の主要部と接続されている第１の内折部と、
を含む樹脂シートと、
前記樹脂シートの前記第１の内折部と前記第２の主要部との互いに対向する主面の一方に形成され、前記３辺のうち互いに対向する前記一対の辺の間において連続する粘着層と、
前記粘着層を剥離可能に覆い、前記樹脂シートの前記第１の内折部と前記第２の主要部との互いに対向する前記主面の他方に対向する離型テープと、
を備え、
前記第１の内折部と前記第２の主要部の間が、前記離型テープを剥がして前記粘着層を前記樹脂シートの前記第１の内折部と前記第２の主要部との互いに対向する前記主面の前記他方に貼り付けることよって密封可能であることを特徴とするテープ付き袋。
【発明の詳細な説明】
【技術分野】
【０００１】
本発明は、テープ付き袋に関し、詳しくは、密封することができるテープ付き袋に関する。
【背景技術】
【０００２】
従来、樹脂シートを用いて作製された種々のテープ付き袋が提案されている。
【０００３】
例えば図９の断面図及び図１０の斜視図に示すテープ付き袋１は、開口２を有し、開口２より内側の互いに対向する内面の一方にのみ、開口２に沿って開口２の一端から他端まで連続的に粘着層３が形成され、粘着層３は離型テープ４で覆われている。開口２から物品を入れ、離型テープ４を剥がし、開口２の両端を手でつかみ、図１０において矢印で示すように両端を互いに離れる方向に引っ張ると、一方の内面に形成された粘着層３が他方の内面に貼り付けられている（例えば、特許文献１参照）。
【先行技術文献】
【特許文献】
【０００４】
【特許文献１】実用新案登録第３１０３４４１号公報
【発明の概要】
【発明が解決しようとする課題】
【０００５】
このテープ付き袋１は、立体が無理に収納されたり、外部から押されたりして膨らんだときに、図８の要部拡大断面図において矢印で示すように、粘着層３の近傍において内面を形成するシート７，８が広がると、シート７，８が粘着層３から剥がれ、密封を保てなくなる場合がある。これを防ぐために粘着層３の粘着力を強くすると、シート７，８が粘着層３から剥がれにくくなり、開封時にシート７，８が変形したり破れたりするため、綺麗に開封することが困難になる。
【０００６】
本発明は、かかる実情に鑑み、粘着力を強くすることなく、密封を容易に保つことができるテープ付き袋を提供しようとするものである。
【課題を解決するための手段】
【０００７】
本発明は、上記課題を解決するために、以下のように構成したテープ付き袋を提供する。
【０００８】
テープ付き袋は、樹脂シートと、粘着層と、離型テープとを備える。前記樹脂シートは、（ａ）４辺を有する形状であり、前記４辺のうち３辺に沿って互いに接続された第１及び第２の主要部と、（ｂ）前記第１の主要部の前記４辺のうち他の１辺に接続され、前記第１の主要部の前記第２の主要部側に沿って延在し、前記３辺のうち互いに対向する一対の辺の間において連続し、前記３辺のうち互いに対向する前記一対に辺に沿って前記第１の主要部と接続されている第１の内折部と、（ｃ）前記第１の主要部の前記４辺のうち他の１辺に接続され、前記第２の主要部の前記第１の主要部側に沿って延在し、前記３辺のうち互いに対向する前記一対の辺の間において連続し、前記３辺のうち互いに対向する前記一対に辺に沿って前記第２の主要部と接続されている第２の内折部と、（ｄ）前記第２の主要部の前記他の１辺に対向する前記第２の内折部の辺に接続され、前記第２の内折部の前記第２の主要部とは反対側に沿って延在し、前記第１の内折部に対向し、前記３辺のうち互いに対向する前記一対の辺の間において連続し、前記３辺のうち互いに対向する前記一対に辺に沿って前記第１及び第２の内折部と接続されている第３の内折部とを含む。前記粘着層は、前記樹脂シートの前記第１及び第３の内折部の互いに対向する主面の一方に形成され、前記３辺のうち互いに対向する前記一対の辺の間において連続する。前記離型テープは、前記粘着層を剥離可能に覆い、前記樹脂シートの前記第１及び第３の内折部の互いに対向する前記主面の他方に対向する。前記第１の内折部と前記第３の内折部の間が、前記離型テープを剥がして前記粘着層を前記樹脂シートの前記第１及び第３の内折部の互いに対向する前記主面の前記他方に貼り付けることよって密封可能である。
【０００９】
上記構成によれば、第１の内折部と第３の内折部の間を密封されたテープ付き袋が膨らんでも、第１及び第２の主要部の間の収納空間は、第１乃至第３の内折部によって余裕を持って塞がれるため、密封を保つことができる。また、密封されたテープ付き袋の内圧が高くなると、第１乃至第３の内折部は、内圧によって粘着層に向けて押圧され、第１及び第３の内折部は粘着層から剥がれにくくなる。したがって、粘着力を強くすることなく、密封を容易に保つことができる。
【００１０】
また、本発明は、上記課題を解決するために、以下のように構成したテープ付き袋を提供する。
【００１１】
テープ付き袋は、樹脂シートと、粘着層と、離型テープとを備える。前記樹脂シートは、（ａ）４辺を有する形状であり、前記４辺のうち３辺に沿って互いに接続された第１及び第２の主要部と、（ｂ）前記第１の主要部の前記４辺のうち他の１辺に接続され、前記第１の主要部の前記第２の主要部側に沿って延在し、前記３辺のうち互いに対向する一対の辺の間において連続し、前記３辺のうち互いに対向する前記一対に辺に沿って前記第１の主要部と接続されている第１の内折部と、（ｃ）前記第１の主要部の前記４辺のうち他の１辺に接続され、前記第２の主要部の前記第１の主要部側に沿って延在し、前記３辺のうち互いに対向する前記一対の辺の間において連続し、前記３辺のうち互いに対向する前記一対に辺に沿って前記第２の主要部と接続されている第２の内折部とを含む。前記粘着層は、前記樹脂シートの前記第１及び第２の内折部の互いに対向する主面の一方に形成され、前記３辺のうち互いに対向する前記一対の辺の間において連続する。前記離型テープは、前記粘着層を剥離可能に覆い、前記樹脂シートの前記第１及び第２の内折部の互いに対向する前記主面の他方に対向する。前記第１の内折部と前記第２の内折部の間が、前記離型テープを剥がして前記粘着層を前記樹脂シートの前記第１及び第２の内折部の互いに対向する前記主面の前記他方に貼り付けることよって密封可能である。
【００１２】
上記構成によれば、第１の内折部と第２の内折部の間を密封されたテープ付き袋が膨らんでも、第１及び第２の主要部の間の収納空間は、第１及び第２の内折部によって余裕を持って塞がれるため、密封を保つことができる。また、密封されたテープ付き袋の内圧が高くなると、第１及び第２の内折部は、内圧によって粘着層に向けて押圧され、第１及び第２の内折部が粘着層から剥がれにくくなる。したがって、粘着力を強くすることなく、密封を容易に保つことができる。
【００１３】
また、本発明は、上記課題を解決するために、以下のように構成したテープ付き袋を提供する。
【００１４】
テープ付き袋は、樹脂シートと、粘着層と、離型テープとを備える。前記樹脂シートは、（ａ）４辺を有する形状であり、前記４辺のうち３辺に沿って互いに接続された第１及び第２の主要部と、（ｂ）前記第１の主要部の前記４辺のうち他の１辺に接続され、前記第１の主要部の前記第２の主要部側に沿って延在し、前記３辺のうち互いに対向する一対の辺の間において連続し、前記３辺のうち互いに対向する前記一対に辺に沿って前記第１の主要部と接続されている第１の内折部とを含む。前記粘着層は、前記樹脂シートの前記第１の内折部と前記第２の主要部との互いに対向する主面の一方に形成され、前記３辺のうち互いに対向する前記一対の辺の間において連続する。前記離型テープは、前記粘着層を剥離可能に覆い、前記樹脂シートの前記第１の内折部と前記第２の主要部との互いに対向する前記主面の他方に対向する。前記第１の内折部と前記第２の主要部の間が、前記離型テープを剥がして前記粘着層を前記樹脂シートの前記第１の内折部と前記第２の主要部との互いに対向する前記主面の前記他方に貼り付けることよって密封可能である。
【００１５】
上記構成によれば、第１の内折部と第２の主要部の間を密封されたテープ付き袋が膨らんでも、第１及び第２の主要部の間の収納空間は、第１の内折部によって余裕を持って塞がれるため、密封を保つことができる。また、密封されたテープ付き袋の内圧が高くなると、第１の内折部は、内圧によって粘着層に向けて押圧され、第１の内折部が粘着層から剥がれにくくなる。したがって、粘着力を強くすることなく、密封を容易に保つことができる。
【発明の効果】
【００１６】
本発明のテープ付き袋は、粘着力を強くすることなく、密封を容易に保つことができる。そのため、綺麗に開封できるようにすることが容易である。
【図面の簡単な説明】
【００１７】
【図１】テープ付き袋の（ａ）平面図、（ｂ）断面図である。（実施例１）
【図２】テープ付き袋の部分断面斜視図である。（実施例１）
【図３】テープ付き袋の要部拡大断面図である。（実施例１）
【図４】テープ付き袋の部分断面斜視図である。（実施例２）
【図５】テープ付き袋の要部拡大断面図である。（実施例２）
【図６】テープ付き袋の部分断面斜視図である。（実施例３）
【図７】テープ付き袋の要部拡大断面図である。（実施例３）
【図８】テープ付き袋の要部拡大断面図である。（説明例１）
【図９】テープ付き袋の要部断面図である。（従来例１）
【図１０】テープ付き袋の斜視図である。（従来例１）
【発明を実施するための形態】
【００１８】
以下、本発明の実施の形態について、図１〜図７を参照しながら説明する。
【００１９】
＜実施例１＞  実施例１のテープ付き袋１０について、図１〜図３を参照しながら説明する。
【００２０】
図１（ａ）は、テープ付き袋１０の平面図である。図１（ｂ）は、図１（ａ）の線Ｘ−Ｘに沿って切断した断面図である。図２は、図１（ａ）の線Ａ−Ａに沿って切断した部分断面斜視図であり、シートの重なりを広げ、模式的に図示している。
【００２１】
図１及び図２に示すように、テープ付き袋１０は、折り重ねられた樹脂シート１２が一対の側辺１０ｓ，１０ｔに沿ってシールされ、袋状に形成されている。テープ付き袋１０は、下辺１０ｎが底となり、上辺１０ｍに沿って開口している。
【００２２】
樹脂シート１２は、（ａ）テープ付き袋１０の外面１０ｐ，１０ｑを形成する矩形の第１及び第２の主要部１２ａ，１２ｂと、（ｂ）第１及び第２の主要部１２ａ，１２ｂの下辺１２ｖ，１２ｗ同士を接続するガゼット部１２ｃと、（ｃ）第１の主要部１２ａの上辺１２ｓに接続され、第１の主要部１２ａの第２の主要部１２ｂ側に沿って延在する第１の内折部１２ｐと、（ｄ）第２の主要部１２ｂの上辺１２ｔに接続され、第２の主要部１２ｂの第１の主要部１２ａ側に沿って延在する第２の内折部１２ｑと、（ｅ）第２の主要部１２ｂの上辺１２ｔに対向する第２の内折部１２ｑの下辺１２ｋに接続され、第２の内折部１２ｑの第２の主要部１２ｂとは反対側の主面に沿って延在し、第１の内折部１２ｐに対向する第３の内折部１２ｒとを含む。
【００２３】
ガゼット部１２ｃは、第１及び第２の主要部１２ａ，１２ｂの下辺１２ｖ，１２ｗを両端とする断面略Ｗ字状に折り曲げられ、第１及び第２の主要部１２ａ，１２ｂの間に配置される。ガゼット部１２ｃによって、テープ付き袋１０の底の面積が大きくなるため、立体形状の物品の収納に好適であり、収納状態でテープ付き袋１０が自立しやすい。
【００２４】
なお、第１及び第２の主要部１２ａ，１２ｂの下辺１２ｖ，１２ｗ同士が、ガゼット部１２ｃを介して接続される構成に代えて、第１及び第２の主要部１２ａ，１２ｂの下辺１２ｖ，１２ｗ同士が、直接、接続される構成としても構わない。この場合、樹脂シートを下辺１０ｎに沿って折り曲げても、第１の主要部１２ａ側と第２の主要部１２ｂ側の別々の樹脂シートとを重ね合わせ、下辺１０ｎに沿って接続してもよい。
【００２５】
テープ付き袋１０は、一対の側辺１０ｓ，１０ｔに沿って、第１及び第２の主要部１２ａ，１２ｂと、ガゼット部１２ｃと、第１乃至第３の内折部１２ｐ，１２ｑ，１２ｒとが互いに接続されたシール部１８ｓ，１８ｔが形成されている。シール部１８ｓ，１８ｔは、熱シールや超音波接合によって形成することができる。テープ付き袋１０は、第１内折部１２ｐと第３内折部１２ｒとの間に開口１１ａが形成され、第１の主要部１２ａ，１２ｂと第２の主要部の間に収納空間１１ｂが形成される。
【００２６】
図２に示すように、第１の内折部１２ｐの中間位置に、熱シールや超音波接合によって第１の内折部１２ｐと第１の主要部１２ａとが接合された第１の接合部１２ｘが形成され、第１の接合部１２ｘより上に第１のヘッダ部１１ｓが形成されている。第２の内折部１２ｑの中間位置に、熱シールや超音波接合によって第２の内折部１２ｑと第２の主要部１２ｂとが接合された第２の接合部１２ｙが形成され、第２の接合部１２ｙより上に第２のヘッダ部１１ｔが形成されている。第１及び第２のヘッダ部１１ｓ，１１ｔは、熱シールや超音波接合などによって、全体が散点状や網目状に接合されてもよい。
【００２７】
第１の内折部１２ｐのうち第１の接合部１２ｘより下側（先端側）の第３の内折部１２ｒに対向する主面に、粘着層１４が形成され、粘着層１４は離型テープ１６で覆われている。離型テープ１６は、第３の内折部１２ｒに対向する。粘着層１４及び離型テープ１６は、テープ付き袋１０の一対の側辺１０ｓ，１０ｔ間において連続し、両端がシール部１８ｓ，１８ｔに達している。
【００２８】
テープ付き袋１０は、ロール状の樹脂シート材を巻き出して、粘着層１４及び離型テープ１６を形成するため粘着テープ１３を貼り付けた後、三角板等を用いて折り曲げ、例えば、加熱した刃を用いて、側辺１０ｓ，１０ｔに沿ってシール部１８ｓ，１８ｔの形成と側辺１０ｓ，１０ｔの切断を同時に行なうことによって、連続的に製造することができる。
【００２９】
テープ付き袋１０は、離型テープ１６を剥がし、粘着層１４を第３の内折部１２ｒに貼り付けることによって、第１の内折部１２ｐと第３の内折部１２ｒの間を密封することができる。
【００３０】
テープ付き袋１０は、例えば、立体が収納空間１１ｂに無理に収納されたり、外部から押し潰されたりして膨らんでも、第１及び第２の主要部１２ａ，１２ｂの間の収納空間１１ｂは、第１乃至第３の内折部１２ｐ，１２ｑ，１２ｒによって余裕を持って塞がれため、密封を保つことができる。また、温度上昇や外部からの圧迫などによって収納空間１１ｂ内の圧力が高くなると、図３の要部拡大断面図において矢印で示す内圧によって、第１乃至第３の内折部１２ｐ，１２ｑ，１２ｒは粘着層１４に向けて押圧され、第１及び第３の内折部１２ｐ，１２ｒは粘着層１４から剥がれにくくなる。したがって、粘着層１４の粘着力を強くすることなく、密封を容易に保つことができる。
【００３１】
粘着層１４の粘着力を強くしなくてもよいため、テープ付き袋１０を綺麗に開封することができるようにすることが容易である。すなわち、粘着層１４の粘着力を強くすると、開封時に樹脂シート１２が変形したり破れたりするため、綺麗に開封することが困難になるが、粘着層１４の粘着力を強くする必要がないため、テープ付き袋１０を綺麗に開封することができるように、粘着層１４の粘着力を選択することができる。
【００３２】
テープ付き袋１０は、矩形であれば、材料の無駄が少ないため好ましいが、矩形以外の４辺を有する形状にすることも可能である。その場合、各辺１０ｓ，１０ｔ，１０ｎ，１０ｍは、折れ曲がった形状や、曲線形状であっても構わない。
【００３３】
樹脂シート１２の材質は適宜に選択すればよく、透明でも不透明でも半透明でもよく、必要に応じて、文字や図形などが印刷されてもよい。樹脂シート１２には、上辺１０ｍと離型テープ１６との間に、テープ付き袋１０を吊り下げるための円形の貫通穴や、手で把持する持ち手用の小判型の貫通穴などを形成してもよい。
【００３４】
粘着層１４及び離型テープ１６は、第１及び第３の内折部１２ｐ，１２ｒの互いに対向する主面のいずれか一方に形成すればよい。すなわち、第３の内折部１２ｒの第１の内折部１２ｐに対向する主面に粘着層を形成し、離型テープが粘着層を剥離可能に覆い、第１の内折部に対向する構成としてもよい。
【００３５】
第１及び第２の接合部１２ｘ，１２ｙや第１及び第２のヘッダ部１１ｓ，１１ｔは、なくても構わない。また、第１及び第２の主要部１２ａ，１２ｂの上辺１２ｓ，１２ｔと第３の内折部１２ｒの上辺１２ｕの位置は、揃えずにずらしても構わない。
【００３６】
＜実施例２＞  実施例２のテープ付き袋１０ａについて、図４及び図５を参照しながら説明する。実施例２のテープ付き袋１０ａは、実施例１のテープ付き袋１０と略同様に構成されている。以下では、実施例１と同じ構成部分には同じ符号を用い、実施例１との相違点を中心に説明する。
【００３７】
図４は、テープ付き袋１０ａの部分断面斜視図であり、シートの重なりを広げ、模式的に図示している。図４に示すように、テープ付き袋１０ａには、実施例１の第３の内折部１２ｒに相当する部分がなく、第１の内折部１２ｐに設けられた離型テープ１６は、第２の内折部１２ｐに対向している。
【００３８】
テープ付き袋１０ａは、例えば、立体が収納空間１１ｂに無理に収納されたり、外部から押し潰されたりして膨らんでも、第１及び第２の主要部１２ａ，１２ｂの間の収納空間１１ｂは、第１及び第２の内折部１２ｐ，１２ｑによって余裕を持って塞がれため、密封を保つことができる。また、温度上昇や外部からの圧迫などによって収納空間１１ｂ内の圧力が高くなると、図５の要部拡大断面図において矢印で示す内圧によって、第１及び第２の内折部１２ｐ，１２ｑは粘着層１４に向けて押圧され、第１及び第２の内折部１２ｐ，１２ｑは粘着層１４から剥がれにくくなる。したがって、粘着層１４の粘着力を強くすることなく、密封を容易に保つことができる。粘着層１４の粘着力を強くしなくてもよいため、テープ付き袋１０ａを綺麗に開封することができるようにすることが容易である。
【００３９】
なお、粘着層１４及び離型テープ１６は、第１及び第２の内折部１２ｐ，１２ｑの互いに対向する主面のいずれか一方に形成すればよい。すなわち、第２の内折部１２ｑの第１の内折部１２ｐに対向する主面に粘着層を形成し、離型テープが粘着層を剥離可能に覆い、第１の内折部に対向する構成としてもよい。
【００４０】
＜実施例３＞  実施例３のテープ付き袋１０ｂについて、図６及び図７を参照しながら説明する。
【００４１】
図６は、テープ付き袋１０ｂの部分断面斜視図であり、シートの重なりを広げ、模式的に図示している。図６に示すように、テープ付き袋１０ｂには、実施例１の第２及び第３の内折部１２ｑ，１２ｒに相当する部分がなく、離型テープ１６は、第２の主要部１２ｂの内面、すなわち、第１の内折部１２ｐに対向する第２の主要部１２ｂの主面に対向している。
【００４２】
テープ付き袋１０ｂは、例えば、立体が収納空間１１ｂに無理に収納されたり、外部から押し潰されたりして膨らんでも、第１及び第２の主要部１２ａ，１２ｂの間の収納空間１１ｂは、第１の内折部１２ｐによって余裕を持って塞がれため、密封を保つことができる。また、温度上昇や外部からの圧迫などによって収納空間１１ｂ内の圧力が高くなると、図７の要部拡大断面図において矢印で示す内圧によって、第１の内折部１２ｐは粘着層１４に向けて押圧され、第１の内折部１２ｐは粘着層１４から剥がれにくくなる。したがって、粘着層１４の粘着力を強くすることなく、密封を容易に保つことができる。粘着層１４の粘着力を強くしなくてもよいため、テープ付き袋１０ｂを綺麗に開封することができるようにすることが容易である。
【００４３】
＜まとめ＞  以上に説明したように、本発明のテープ付き袋は、粘着力を強くすることなく、密封を容易に保つことができる。そのため、綺麗に開封できるようにすることが容易である。
【００４４】
なお、本発明は、上記実施の形態に限定されるものではなく、種々変更を加えて実施することが可能である。
【符号の説明】
【００４５】
１０，１０ａ，１０ｂ  テープ付き袋
１０ｍ  上辺（他の１辺）
１０ｎ  下辺（４辺のうち３辺）
１０ｐ，１０ｑ  外面
１０ｓ，１０ｔ  側辺（４辺のうち３辺、互いに対向する一対の辺）
１１ａ  開口
１１ｂ  収納空間
１１ｓ，１１ｔ  ヘッダ部
１２  樹脂シート
１２ａ  第１の主要部
１２ｂ  第２の主要部
１２ｃ  ガゼット部
１２ｋ  下辺
１２ｐ  第１の内折部
１２ｑ  第２の内折部
１２ｒ  第３の内折部
１２ｓ，１２ｔ，１２ｕ  上辺
１２ｖ，１２ｗ  下辺
１２ｘ，１２ｙ  接合部
１３  粘着テープ
１４  粘着層
１６  離型テープ
１８ｓ，１８ｔ  シール部
【図１】
2015009875.tif 000003
【図２】
2015009875.tif 000004
【図３】
2015009875.tif 000005
【図４】
2015009875.tif 000006
【図５】
2015009875.tif 000007
【図６】
2015009875.tif 000008
【図７】
2015009875.tif 000009
【図８】
2015009875.tif 000010
【図９】
2015009875.tif 000011
【図１０】
2015009875.tif 000012